(57)【要約】【課題】固定ノズルをコンパクトに構成し、少ない洗浄水で運転することができる食器洗い機を提供する。【解決手段】被洗浄物を設置する食器カゴ５ａ、５ｂと、前記食器カゴを収容する洗浄槽３と、洗浄水を加熱する加熱手段１３と、洗浄水を加圧循環するポンプ７と、前記ポンプの吸込み側に連通した排水口１１と、洗浄水を噴射する複数の噴射口１０を備えた複数の洗浄手段８、９とを備え、前記洗浄手段は、少なくとも一つの前記洗浄槽の壁面に配置した固定ノズル９を有し、前記固定ノズルは、前記洗浄槽の壁面に向けて洗浄水を噴射する噴射口１０ａを有し、前記噴射口１０ａから噴射した洗浄水を前記洗浄槽に反射させて上カゴに設置した略鉛直方向の上方に位置する被洗浄物を洗浄するようにしたものである。【選択図】図１
2008229224.tif 000002
【特許請求の範囲】
【請求項１】
被洗浄物を設置する上カゴを有した食器カゴと、前記食器カゴを収容する洗浄槽と、洗浄水を加熱する加熱手段と、洗浄水を加圧循環するポンプと、前記ポンプの吸込み側に連通した排水口と、洗浄水を噴射する複数の噴射口を備えた複数の洗浄手段とを備え、前記洗浄手段は、少なくとも一つの前記洗浄槽の壁面に配置した固定ノズルを有し、前記固定ノズルは、前記洗浄槽の壁面に向けて洗浄水を噴射する噴射口を有し、前記噴射口から噴射した洗浄水を前記洗浄槽に反射させて前記上カゴに設置した略鉛直方向の上方に位置する被洗浄物を洗浄するようにした食器洗い機。
【請求項２】
洗浄槽の内壁に傾斜部を有し、固定ノズルから噴射する洗浄水が被洗浄物に当たるよう前記傾斜部を配置した請求項１記載の食器洗い機。
【請求項３】
ポンプから洗浄水が通水される洗浄手段を切換える分水手段を有し、洗浄水が複数の前記洗浄手段から順次噴射することを特徴とする請求項１または２記載の食器洗い機。
【請求項４】
分水手段は、複数の洗浄手段に連通する複数の導水路を有し、前記導水路の１経路のみを固定ノズルに連通する請求項３記載の食器洗い機。
【請求項５】
加熱手段は、固定ノズルから噴射する洗浄水により洗浄する被洗浄物に対し鉛直方向の下方に位置する請求項３または４記載の食器洗い機。
【請求項６】
固定ノズルは、加熱手段に洗浄水を噴射する加熱手段冷却噴射口を有する請求項３〜５のいずれか１項に記載の食器洗い機。
【請求項７】
排水口は、固定ノズルから噴射する洗浄水により洗浄する被洗浄物に対し鉛直方向の下方に位置する請求項３〜６のいずれか１項に記載の食器洗い機。
【請求項８】
分水手段から洗浄水が通水される洗浄手段を検知する分水検知手段を洗浄槽内に有し、固定ノズルに洗浄水を通水する時間を他の洗浄手段に洗浄水を通水する時間より短くしたことを特徴とする請求項３〜７のいずれか１項に記載の食器洗い機。
【請求項９】
分水手段から洗浄水が通水される洗浄手段を検知する分水検知手段を有し、固定ノズルは、被洗浄物の汚染面を洗い流す噴射口を有する洗浄導水路と、前記被洗浄物の表面をすすぎ流す噴射口を有するすすぎ導水路とを有し、洗浄時は前記洗浄導水路に洗浄水を通水する時間をすすぎ導水路に通水する時間より長くしたことを特徴とする請求項３または請求項５〜８のいずれか１項に記載の食器洗い機。
【請求項１０】
ポンプは、モータの回転数を可変することで洗浄水の吐出圧を変化させ、固定ノズルから洗浄水を噴射する角度を変えることを特徴とする請求項１〜９のいずれか１項に記載の食器洗い機。
【発明の詳細な説明】
【技術分野】
【０００１】
本発明は、洗浄手段に固定ノズルを有し、洗浄水を固定ノズルより噴射して被洗浄物を洗浄する食器洗い機に関するものである。
【背景技術】
【０００２】
従来、この種の食器洗い機は、図１０に示すように構成していた（例えば、特許文献１参照）。図１０に示すように、食器洗い機本体４１は、洗浄槽４２内に被洗浄物４３を収容し、洗浄槽４２の下方には第１の回転ノズル４４及び第２の回転ノズル４５が配設され、洗浄槽４２の背面には略十字状に形成された固定ノズル４６が配設されている。また、洗浄槽４２内には、被洗浄物４３を収容する下段食器カゴ４７及び上段食器カゴ４８がそれぞれ前後方向に引き出しできるように配設されている。洗浄槽４２内に収容された被洗浄物４３に対して前記第１の回転ノズル４４、第２の回転ノズル４５及び固定ノズル４６から洗浄水を噴射することにより、被洗浄物４３が洗浄される。
【０００３】
洗浄槽４２の底部には、洗浄ポンプ４９の吸い込み側に連通した排水口が設けられ、排水口には残滓を収集する残滓フィルタと、洗浄水を加熱するヒータとが配設されている。残滓フィルタを透過した洗浄水は洗浄ポンプ４９に吸い込まれて加圧され、分水手段５３によって第１及び第２の各回転ノズル４４、４５及び固定ノズル４６に洗浄水の送給が順次切換えられ、第１及び第２の各回転ノズル４４、４５及び固定ノズル４６から洗浄水が噴射される。
【０００４】
上記構成になる食器洗い機について、以下その動作、作用を説明する。扉を開いて被洗浄物４３を収容した下段食器カゴ４７及び上段食器カゴ４８が洗浄槽４２内に収納され、洗剤が投入されて扉により洗浄槽４２が閉じられると運転を開始して、洗浄工程、すすぎ工程、乾燥工程の順に実行する。まず、給水弁が動作して所定量の洗浄水が洗浄槽４２内に給水される。給水された洗浄水はヒータによって加熱され、洗浄ポンプ４９によって加圧されて分水手段５３から第１、第２の各回転ノズル４４、４５及び固定ノズル４６に選択的に洗浄水が送給される。ここでは、分水手段５３は第１の回転ノズル４４、第１の回転ノズル４４及び第２の回転ノズル４５、第２の回転ノズル４５、固定ノズル４６の順に所定時間毎に洗浄水の送給を切換えるように動作する。
【０００５】
第１及び第２の回転ノズル４４、４５は送給された洗浄水が噴射口から噴出する噴流によって回転し、回転移動する洗浄水を噴射して主に下段食器カゴ４７に収容された被洗浄物４３を洗浄する。また、固定ノズル４６は上段食器カゴ４８の下に水平方向に配列された噴射口５６から洗浄水を上段食器カゴ４８方向に噴射して下向きに収容された被洗浄物４３の内面を洗浄すると共に、上部に開口する洗浄水噴射口５５から略水平方向に扇状に噴射される洗浄水により被洗浄物４３の外面を洗浄する。
【特許文献１】特開２００４−２６７６６１号公報
【発明の開示】
【発明が解決しようとする課題】
【０００６】
しかしながら、前記従来の構成では、上段食器カゴに設置された被洗浄物の外面を洗浄するために、固定ノズルが洗浄槽の最も高い位置に噴射口を有するよう構成されており、固定ノズルの構成が大型化している。また、固定ノズル内の導水路の体積が大きくなることから、固定ノズルから洗浄水を噴射するために必要な洗浄水が多く必要になり、運転に必要な使用水量が増すという課題を有していた。
【０００７】
本発明は、前記従来の課題を解決するもので、固定ノズルをコンパクトに構成し、少ない洗浄水で運転することができる食器洗い機を提供することを目的とする。
【課題を解決するための手段】
【０００８】
前記従来の課題を解決するために、本発明の食器洗い機は、被洗浄物を設置する上カゴを有した食器カゴと、前記食器カゴを収容する洗浄槽と、洗浄水を加熱する加熱手段と、洗浄水を加圧循環するポンプと、前記ポンプの吸込み側に連通した排水口と、洗浄水を噴射する複数の噴射口を備えた複数の洗浄手段とを備え、前記洗浄手段は、少なくとも一つの前記洗浄槽の壁面に配置した固定ノズルを有し、前記固定ノズルは、前記洗浄槽の壁面に向けて洗浄水を噴射する噴射口を有し、前記噴射口から噴射した洗浄水を前記洗浄槽に反射させて前記上カゴに設置した略鉛直方向の上方に位置する被洗浄物を洗浄するようにしたものである。
【０００９】
これによって、固定ノズルより上方に位置する被洗浄物をコンパクトな固定ノズルによって洗浄することができる。
【発明の効果】
【００１０】
本発明の食器洗い機は、固定ノズルをコンパクトに構成することができ、運転に必要な使用水量を低減することができる。
【発明を実施するための最良の形態】
【００１１】
第１の発明は、被洗浄物を設置する上カゴを有した食器カゴと、前記食器カゴを収容する洗浄槽と、洗浄水を加熱する加熱手段と、洗浄水を加圧循環するポンプと、前記ポンプの吸込み側に連通した排水口と、洗浄水を噴射する複数の噴射口を備えた複数の洗浄手段とを備え、前記洗浄手段は、少なくとも一つの前記洗浄槽の壁面に配置した固定ノズルを有し、前記固定ノズルは、前記洗浄槽の壁面に向けて洗浄水を噴射する噴射口を有し、前記噴射口から噴射した洗浄水を前記洗浄槽に反射させて前記上カゴに設置した略鉛直方向の上方に位置する被洗浄物を洗浄するようにしたことにより、固定ノズルをコンパクトに構成することができ、運転に必要な使用水量を低減することができる。
【００１２】
第２の発明は、特に、第１の発明の洗浄槽の内壁に傾斜部を有し、固定ノズルから噴射する洗浄水が被洗浄物に当たるよう前記傾斜部を配置したことにより、洗浄槽の内壁に当たる洗浄水を被洗浄物に導くことで効率的に洗浄することができる。
【００１３】
第３の発明は、特に、第１の発明または第２の発明のポンプから洗浄水が通水される洗浄手段を切換える分水手段を有し、洗浄水が複数の前記洗浄手段から順次噴射することにより、洗浄手段から噴射する洗浄水の噴射圧や流量を減少させずに、多量の洗浄水を必要とすることなく、複数の洗浄手段から洗浄水を噴射することができ、使用水量を低減して効率的な洗浄を行うことができる。
【００１４】
第４の発明は、特に、第３の発明の分水手段は、複数の洗浄手段に連通する複数の導水路を有し、前記導水路の１経路のみを固定ノズルに連通することにより、コップや湯呑み等の比較的汚染状態の経度な被洗浄物を必要以上の洗浄水で洗うことがなく、固定ノズル以外の洗浄手段に洗浄力を配分することで被洗浄物全体を効率的に洗浄することができる。
【００１５】
第５の発明は、特に、第３または第４の発明の加熱手段は、固定ノズルから噴射する洗浄水により洗浄する被洗浄物に対し鉛直方向の下方に位置することにより、固定ノズルから洗浄水を噴射して洗浄槽内の洗浄水位が下がり加熱手段が露出した際に、固定ノズルから噴射した洗浄水が加熱手段に落下してくることで、加熱手段が空焚き状態になり過熱することを防止することができる。加熱手段を温和な環境で使用することができるので、加熱手段の機能劣化を抑えると共に、製品の安全性を高めることができる。
【００１６】
第６の発明は、特に、第３〜第５のいずれか１つの発明の固定ノズルは、加熱手段に洗浄水を噴射する加熱手段冷却噴射口を有することにより、固定ノズルから洗浄水を噴射して洗浄槽内の洗浄水位が下がり加熱手段が露出した際に、固定ノズルから噴射した洗浄水が直接確実に加熱手段に当たることで、加熱手段が空焚き状態になり過熱することを防止することができる。加熱手段を温和な環境で使用することができるので、加熱手段の機能劣化を抑えると共に、製品の安全性を高めることができる。
【００１７】
第７の発明は、特に、第３〜第６のいずれか１つの発明の排水口は、固定ノズルから噴射する洗浄水により洗浄する被洗浄物に対し鉛直方向の下方に位置することにより、固定ノズルから洗浄水を噴射して洗浄槽内の洗浄水位が下がる際に、固定ノズルから噴射した洗浄水が落下するところに給水口を設けていることから、直ちに洗浄水を回収循環することができ、空気がポンプに混入して洗浄水の吐出圧が下がり洗浄能力が低下することを防ぐことができるので、循環する洗浄水量を少なく保ち、使用水量を少なくかつ効率的に洗浄することができる。
【００１８】
第８の発明は、特に、第３〜第７のいずれか１つの発明の分水手段から洗浄水が通水される洗浄手段を検知する分水検知手段を洗浄槽内に有し、固定ノズルに洗浄水を通水する時間を他の洗浄手段に洗浄水を通水する時間より短くしたことにより、固定ノズルにより洗浄するコップや湯呑み等の比較的汚染状態の軽度な被洗浄物を短時間で洗い、比較的汚染状態の強度な被洗浄物を洗うために固定ノズル以外の洗浄手段に洗浄時間を配分することで、被洗浄物全体を短時間で効率的に洗浄することができる。
【００１９】
第９の発明は、特に、第３または第５〜第８のいずれか１つの発明の分水手段から洗浄水が通水される洗浄手段を検知する分水検知手段を有し、固定ノズルは、被洗浄物の汚染面を洗い流す噴射口を有する洗浄導水路と、前記被洗浄物の表面をすすぎ流す噴射口を有するすすぎ導水路とを有し、洗浄時は前記洗浄導水路に洗浄水を通水する時間をすすぎ導水路に通水する時間より長くしたことにより、洗浄時は被洗浄物の汚染面に洗浄水を重点的に噴射することができるので、被洗浄物を短時間で効率的に洗浄することができる。
【００２０】
第１０の発明は、特に、第１〜第９のいずれか１つの発明のポンプは、モータの回転数を可変することで洗浄水の吐出圧を変化させ、固定ノズルから洗浄水を噴射する角度を変えることにより、固定ノズルの噴射口から洗浄水を広範囲の被洗浄物に噴射することができるので、効率的に洗浄することができる。
【００２１】
以下、本発明の実施の形態について、図面を参照しながら説明する。なお、本実施の形態によって本発明が限定されるものではない。
【００２２】
（実施の形態１）
図１は、本発明の第１の実施の形態における食器洗い機の一部切欠正面図、図２は、同食器洗い機の側断面図を示すものである。
【００２３】
図１および図２に示すように、食器洗い機本体１には、扉２で開閉可能な洗浄槽３を設け、食器等の被洗浄物４ａ、４ｂは食器カゴ５ａ、５ｂにセットされ、洗浄槽３内に収容している。給水弁６は洗浄槽３に洗浄水を供給するものであり、ポンプ７は、洗浄水を加圧して、複数の噴射口１０を設けた洗浄手段（洗浄ノズル）８、９に供給し、洗浄手段８、９より洗浄水を噴射するものであり、また、回転方向を変えることにより洗浄槽３内の洗浄水を排出するものである。
【００２４】
洗浄手段８、９は、食器カゴ５ａの下方から噴射する回転ノズル８と、洗浄槽３の背面（側面）側より噴射する固定ノズル９の２ヶ所に設置しており、各々の洗浄手段には洗浄水を噴射する噴射口１０を４から１０個程度備えている。また、洗浄槽３の底部には、ポンプ７の吸込み側へ連通した排水口１１を有し、この排水口１１には残滓を収集する残滓フィルタ１２と、洗浄水を加熱する加熱手段１３を設け、洗浄槽３の温度を検知する温度センサ１４を設けている。
【００２５】
送風機（図示せず）は、送風経路（図示せず）を通して洗浄槽３に空気を送り、その排気を排気口１５より排出するようにしている。また、ポンプ７の吐出経路には、洗浄水を供給する洗浄手段８、９を選択的に切換える分水手段１６を設置している。分水手段１６は、図３に示すように構成しており、ケーシング１７内に移動可能に設けた弁体１８と、４個の流出部１９ａ、１９ｂ、１９ｃ、１９ｄとを備え、弁体１８には洗浄水を通過させる開口部２０を設けている。
【００２６】
弁体１８の開口部２０は弁体１８の外形部と連結した切欠形状とし、ケーシング１７からの流出部１９ａ、１９ｂ、１９ｃ、１９ｄは略扇形状になっている。回転ノズル８には流出部１９ａ、１９ｂおよび１９ｃを連結した回転ノズル導水路２１で、固定ノズル９には固定ノズル導水路２２で連通されている。
【００２７】
なお、１個の洗浄手段とは、１個の流出部１９を通過した洗浄水が噴射される噴射口の集合体を指し、回転ノズル８や固定ノズル９が各１個の場合に限らず、回転ノズルが複数個あったり、回転ノズルと固定ノズルの組み合わせであったり、あるいは、噴射口の場所が離れている場合など種々の構成が考えられるが、いずれの場合も１個の洗浄手段であることに違いはない。
【００２８】
図３は分水手段１６の概念図であり、実際には、ケーシング１７は上下に２分割して、ビス止めや嵌め込み、溶着や溶接等で結合された構造となる。また、洗浄槽３が樹脂製の場合など、この洗浄槽３の底面と一体でケーシング１７の一部を構成することも可能である。
【００２９】
以上のように構成された食器洗い機について、以下その動作、作用を説明する。食器等の被洗浄物４ａ、４ｂを食器カゴ５ａ、５ｂにセットして洗浄槽３に収納し、洗剤を投入した後、扉２により食器洗い機本体１の開口部を閉塞し、運転を開始する。被洗浄物４ａ、４ｂの汚れを落とす洗浄工程、付着した洗剤や残滓を流すすすぎ工程、そして、被洗浄物４ａ、４ｂに付着している水適を乾燥させる乾燥工程の順に実行する。
【００３０】
まず、給水弁６を動作して所定量の洗浄水を洗浄槽３に給水し、続いて、ポンプ７により洗浄水を加圧し、分水手段１６を通って洗浄手段の噴射口１０より洗浄水を被洗浄物４ａ、４ｂに噴射する。分水手段１６は、洗浄水の圧力によって動作する。ポンプ７のオンオフに伴って弁体１８が回転することにより、所定の流出部１９ａ〜１９ｄが開口するような位置で固定され、この流出部１９ａ〜１９ｄと連通した洗浄手段から洗浄水が噴射される。
【００３１】
図４に、各洗浄手段からの噴射パターン図を示す。図４に示したように、洗浄水が噴射する洗浄手段は、固定ノズル９→回転ノズル８→回転ノズル８→回転ノズル８の順で切換る。これが、弁体１８が１周する切換えの１サイクルであり、この噴射パターンを繰返しながら洗浄する。
【００３２】
なお、分水手段１６は、駆動モータ等により弁体１８を回転させて流出部を切換える等、他の方式を用いてもよく、その効果は同様である。
【００３３】
ポンプ７により洗浄水を加圧し、分水手段１６により洗浄手段を順次切換えながら洗浄水を噴射する際、洗浄槽３内に設けたシーズヒータ等の加熱手段１３に通電しており、洗浄水を加温しながら洗浄工程は行われる。また、温度センサ１４は洗浄槽３の温度を検知しており、所定温度以上になると加熱手段１３への通電を停止する。洗浄水の循環は、残滓フィルタ１２を通過し、ポンプ７に吸い込まれ、ポンプ７より洗浄槽３に設けた洗浄手段に供給され、この洗浄手段から噴射され、被洗浄物４を洗浄した後、再び排水口１１に戻るという経路で行われる。この際、被洗浄物４から脱落した残滓等は、洗浄水とともに残滓フィルタ１２に流入し、この残滓フィルタ１２を通過できない大きさの残滓は、残滓フィルタ１２に捕集される。
【００３４】
所定時間の洗浄工程を終えると、汚れを含む洗浄水はポンプ７により機外に排出され、新たに洗浄水が供給される。ポンプ７を運転し、洗浄手段から再び洗浄水を噴射して、洗剤や残滓等の付着した被洗浄物４のすすぎを行う。所定時間運転した後、洗浄水を排出し、再び洗浄水を供給するという動作を繰り返し、このすすぎ工程は連続して３回程度行う。最後に、洗浄水を機外に排出して、すすぎ工程は終了する。
【００３５】
続いて乾燥工程を行い、送風機を動作させることにより、送風経路を通って外気が洗浄槽３内に送風され、排気口１５より排出される。この際、加熱手段１３には通電されており、送風と温度の両方の効果によって被洗浄物４に付着した水滴の蒸発は促進される。所定時間これらの乾燥工程を行い、運転を終了する。
【００３６】
洗浄槽３への洗浄水の給水の制御をはじめ、ポンプ７による洗浄および排水の制御、温度センサ１４の出力に基づいて洗浄槽３内の洗浄水を所定の温度に加熱すべく加熱手段１３への通電の制御、乾燥工程における送風機の駆動の制御等は、食器洗い機本体１内に設けた制御手段２３によって制御される。
【００３７】
次に、本実施の形態の特徴的な構成である洗浄手段の動作、作用について説明する。洗浄手段は、下カゴ５ａの下から被洗浄物４ａに洗浄水を噴射しその噴流によって軸まわりに回転する回転ノズル８と、洗浄槽３の背面（側面）側から噴射する固定ノズル９を有している。固定ノズル９は、上カゴ５ｂのコップ等の被洗浄物４ｂの外側を洗浄するために、洗浄槽３の天面に向けて洗浄水を噴射し、落下してくる水流で洗浄する天面噴射口１０ａと、上カゴ５ｂに設置された被洗浄物４ｂに洗浄水を直接噴射する上カゴ噴射口１０ｂとを有している。天面噴射口１０ａは、洗浄槽３の壁面と上カゴ５ｂの隙間を通って天面に洗浄水を噴射するので、上カゴ５ｂの設置された被洗浄物４ｂに影響されることなく、確実に洗浄水を天面に到達させることができ、被洗浄物４ｂを確実に洗浄することができる。
【００３８】
なお、洗浄槽３の天面には、上カゴ５ｂに設置されるコップ等の被洗浄物４ｂの配置位置の上方に傾斜部２４を形成して、糸底部等に集中的に洗浄水が落下するようにしており、より被洗浄物４ｂのすすぎ性能を向上している。
【００３９】
固定ノズル９は、上カゴ５ｂの被洗浄物４ｂより低い位置の噴射口１０から洗浄水を噴射し洗浄することから、固定ノズル９の構成をコンパクトにすることができ、簡単に低コストで作成できると共に、固定ノズル内の流路体積が小さくなることから、洗浄槽３内の洗浄水を有効に使用することができるので、洗浄水の使用量を少なくすることができる。
【００４０】
また、固定ノズル９の下方に洗浄水を加熱手段１３に噴射する加熱手段冷却噴射口１０ｃを配置し、加熱手段冷却噴射口１０ｃは、食器カゴ５ａおよび回転ノズル８の下を潜って洗浄水を加熱手段１３に噴射している。ポンプ７により洗浄水を加圧循環して洗浄槽３内の洗浄水位が低下し、加熱手段１３が水面に露出しても、洗浄槽３内の被洗浄物４ａの配置や回転ノズル８の状態に影響を受けることなく、確実に加熱手段１３から熱を奪うので、加熱手段１３の過熱を防ぎ、かつ効率的に洗浄水の温度を上昇させることができる。
【００４１】
また、加熱手段１３を固定ノズル９により洗浄する被洗浄物４ｂの下方に配置することで、ポンプ７により洗浄水を加圧循環して洗浄槽３内の洗浄水位が低下し、加熱手段１３が水面に露出しても、被洗浄物４ｂに当たった洗浄水が加熱手段１３に落下するので、洗浄水が加熱手段１３から常に熱を奪って加熱手段の過熱を防ぎ、かつ、効率的に洗浄水の温度を上昇させることができる。
【００４２】
また、排水口１１を固定ノズル９により洗浄する被洗浄物４ｂの下方に配置することで、被洗浄物４ｂに当たった洗浄水が排水口１１に落下するので、ポンプ７により加圧循環するための洗浄水が排水口１１に迅速に溜まり、空気を混入することなく確実に運転することができる。ポンプ７による加圧循環に必要な洗浄水量が少なくてすむので、少ない洗浄水の使用量でかつ効率的な洗浄を行うことができる。
【００４３】
なお、ポンプ７の回転数を可変できるインバータモータを用いることで、ポンプ７の出力を可変とすれば、より高圧で噴射する、またより高流量を流すなど、より効率的な洗浄を行うことができる。固定ノズル９の噴射口１０ｂから被洗浄物４ｂへの洗浄水の噴射角度を変えることが可能となり、固定したノズルからでも広範囲の洗浄が可能となる。
【００４４】
なお、分水手段１６から洗浄水が通水される洗浄手段を検知することができる分水検知手段２７を洗浄槽内に有することで、固定ノズル９により洗浄するコップや湯呑み等の比較的汚染状態の軽度な被洗浄物４ｂを短時間で洗い、比較的汚染状態の強度な被洗浄物４ａを洗うために回転ノズル８に洗浄時間を配分することで、被洗浄物４全体を短時間で効率的に洗浄することができる。
【００４５】
分水検知手段２７には、弁体にマグネットを配置してその場所を検知する方式や、流出部１９を通る洗浄水の動きを検知する方式等があり、いずれの場合もその効果は変わらない。図５に、各洗浄手段からの噴射パターン図を示す。図５に示したように、洗浄水が噴射する洗浄手段は、固定ノズル９→回転ノズル８→回転ノズル８→回転ノズル８の順で切換り、固定ノズル９から洗浄水を噴射する時間を短く設定している。これが、弁体１８が１周する切換えの１サイクルであり、この噴射パターンを繰返しながら洗浄する。
【００４６】
（実施の形態２）
図６は、本発明の第２の実施の形態における食器洗い機の一部切欠正面図を示すものである。図６において固定ノズル９は、食器カゴ５ｂに設置されたコップ等の被洗浄物４ｂの汚染面である内側を洗い流す噴射口を有する洗浄導水路２５と、被洗浄物４ｂの外側をすすぎ流す噴射口を有するすすぎ導水路２６とを有している。回転ノズル導水路２１には、洗浄水が流れていることを検知する分水検知手段２７を配置している。
【００４７】
図７に、分水手段１６の構成を示す。回転ノズル８には流出部１９ａおよび１９ｂを連結した回転ノズル導水路２１が、固定ノズル９の洗浄導水路２５には流出部１９ｃが、固定ノズル９のすすぎ導水路２６には流出部１９ｄが連通されている。他の部分の構成は本発明の実施の形態１で示した食器洗い機と同様であり、省略する。
【００４８】
以上のように構成された食器洗い機について、その動作、作用を説明する。運転を開始すると、まず、被洗浄物４ａ、４ｂの汚れを落とす洗浄工程を行う。被洗浄物４ｂには内側に多くの汚染があることから、分水検知手段２７により各洗浄手段からの噴射パターンを図８に示すよう行う。洗浄水が噴射する洗浄手段は、固定ノズル９（洗浄導水路２５）→固定ノズル９（すすぎ導水路２６）→回転ノズル８→回転ノズル８の順で切換り、固定ノズル９から洗浄水を噴射する時間を回転ノズルから洗浄水を噴射する時間より短く設定し、かつ、固定ノズル９からの洗浄水を噴射する時間の内、洗浄導水路２５の噴射口１０ｄから洗浄水を噴射する時間を、すすぎ導水路２６の噴射口１０ｅから洗浄水を噴射する時間より長く設定している。洗浄時は被洗浄物の汚染面に洗浄水を重点的に噴射することができるので、被洗浄物４ｂ全体を短時間で効率的に洗浄することができる。
【００４９】
一方、すすぎ工程の際は、図９に示すような噴射パターンで運転を行う。食器カゴ５ｂに設置されたコップ等の被洗浄物４ｂは、糸底等に細かな残滓等が残りやすいことから、固定ノズル９からの洗浄水を噴射する時間の内、すすぎ導水路２６の噴射口１０ｅから洗浄水を噴射する時間を、洗浄導水路２５の噴射口１０ｄから洗浄水を噴射する時間より長く設定し、重点的に被洗浄物４ｂの外側をすすぐことで、被洗浄物４ｂ全体を短時間で効率的に洗浄することができる。
【産業上の利用可能性】
【００５０】
以上のように、本発明にかかる食器洗い機は、ノズル構成をコンパクトにすることができ、かつ少ない洗浄水で運転することができることから、家庭用や業務用、装置の大小を問わず、洗浄水を用いて被洗浄物を洗浄する洗浄機器全般に応用することができる。
【図面の簡単な説明】
【００５１】
【図１】本発明の実施の形態１における食器洗い機の一部切欠正面図
【図２】同食器洗い機の要部断面図
【図３】同食器洗い機の分水手段の下面図
【図４】同食器洗い機の各洗浄手段からの噴射パターン図
【図５】同食器洗い機の分水検知時の各洗浄手段からの噴射パターン図
【図６】本発明の実施の形態２における食器洗い機の一部切欠正面図
【図７】同食器洗い機の分水手段の下面図
【図８】同食器洗い機の洗浄工程時の各洗浄手段からの噴射パターン図
【図９】同食器洗い機のすすぎ工程時の各洗浄手段からの噴射パターン図
【図１０】従来の食器洗い機の正面図
【符号の説明】
【００５２】
３  洗浄槽
４ａ、４ｂ  被洗浄物
５ａ、５ｂ  食器カゴ
７  ポンプ
８  回転ノズル（洗浄手段）
９  固定ノズル（洗浄手段）
１０  噴射口
１１  排水口
１３  加熱手段
【図１】
2008229224.tif 000003
【図２】
2008229224.tif 000004
【図３】
2008229224.tif 000005
【図４】
2008229224.tif 000006
【図５】
2008229224.tif 000007
【図６】
2008229224.tif 000008
【図７】
2008229224.tif 000009
【図８】
2008229224.tif 000010
【図９】
2008229224.tif 000011
【図１０】
2008229224.tif 000012